(57)【特許請求の範囲】
【請求項１】
通信システムであって、
通話機能と電子メール機能とチャット機能との少なくとも１つを第１通信機能として備える第１通信端末と、
前記通話機能と前記電子メール機能と前記チャット機能との少なくとも１つを第２通信機能として備える第２通信端末と、
前記第１通信端末及び前記第２通信端末の各々とネットワーク通信を行うことが可能なサーバと、
を備え、
前記第１通信端末は、
前記第１通信機能による応答が可能な第１応答可能時間を前記第１通信端末の第１ユーザに設定させるための第１設定画面を表示する第１表示部と、
前記第１設定画面を介して設定された前記第１応答可能時間を記憶する第１記憶部と、
前記サーバとネットワーク通信を行う第１通信部と、
現在時刻を出力する第１計時部と、
第１制御部と、
を有し、
前記第２通信端末は、
前記第２通信機能による応答が可能な第２応答可能時間を前記第２通信端末の第２ユーザに設定させるための第２設定画面を表示する第２表示部と、
前記第２設定画面を介して設定された前記第２応答可能時間を記憶する第２記憶部と、
前記サーバとネットワーク通信を行う第２通信部と、
現在時刻を出力する第２計時部と、
第２制御部と、
を有し、
前記第１通信端末の前記第１制御部は、前記第２通信機能の応答可否に関する第２応答可否情報の出力要求を前記第１通信部を介して前記サーバに送信し、
前記サーバは、前記出力要求に応答して、前記第２応答可否情報の出力指示を前記第２通信端末に送信し、
前記第２通信端末の前記第２制御部は、前記出力指示に応答して、前記第２計時部を介して現在時刻を取得すると共に、当該現在時刻を前記第２応答可能時間と照合して前記第２応答可否情報を生成し、前記第２通信部を介して前記第２応答可否情報を前記サーバに送信し、
前記サーバは、前記第２応答可否情報を前記第１通信端末に送信し、
前記第１通信端末の前記第１制御部は、前記第２応答可否情報に基づいて、前記第２通信機能の応答可否状況を前記第１表示部に表示し、
前記第２通信端末の前記第２制御部は、前記出力指示に応答して、前記現在時刻から所定時間経過後までの応答可否を直近応答可否情報として生成し、前記第２応答可否情報と共に前記サーバに送信し、
前記サーバは、前記第２応答可否情報及び直近応答可否情報を前記第１通信端末に送信し、
前記第１通信端末の前記第１制御部は、前記応答可否状況を前記第１表示部に表示すると共に、前記現在時刻から前記所定時間経過後までの応答可否を表示することを特徴とする通信システム。
【請求項２】
通信システムであって、
通話機能と電子メール機能とチャット機能との少なくとも１つを第１通信機能として備える第１通信端末と、
前記通話機能と前記電子メール機能と前記チャット機能との少なくとも１つを第２通信機能として備える第２通信端末と、
前記第１通信端末及び前記第２通信端末の各々とネットワーク通信を行うことが可能なサーバと、
を備え、
前記第１通信端末は、
前記第１通信機能による応答が可能な第１応答可能時間を前記第１通信端末の第１ユーザに設定させるための第１設定画面を表示する第１表示部と、
前記第１設定画面を介して設定された前記第１応答可能時間を記憶する第１記憶部と、
前記サーバとネットワーク通信を行う第１通信部と、
現在時刻を出力する第１計時部と、
第１制御部と、
を有し、
前記第２通信端末は、
前記第２通信機能による応答が可能な第２応答可能時間を前記第２通信端末の第２ユーザに設定させるための第２設定画面を表示する第２表示部と、
前記第２設定画面を介して設定された前記第２応答可能時間を記憶する第２記憶部と、
前記サーバとネットワーク通信を行う第２通信部と、
現在時刻を出力する第２計時部と、
第２制御部と、
を有し、
前記第１通信端末の前記第１制御部は、前記第２通信機能の応答可否に関する第２応答可否情報の出力要求を前記第１通信部を介して前記サーバに送信し、
前記サーバは、前記出力要求に応答して、前記第２応答可否情報の出力指示を前記第２通信端末に送信し、
前記第２通信端末の前記第２制御部は、前記出力指示に応答して、前記第２計時部を介して現在時刻を取得すると共に、当該現在時刻を前記第２応答可能時間と照合して前記第２応答可否情報を生成し、前記第２通信部を介して前記第２応答可否情報を前記サーバに送信し、
前記サーバは、前記第２応答可否情報を前記第１通信端末に送信し、
前記第１通信端末の前記第１制御部は、前記第２応答可否情報に基づいて、前記第２通信機能の応答可否状況を前記第１表示部に表示し、
前記第１設定画面には、午前の前記第１応答可能時間帯を設定するための第１アナログ時計と午後の前記第１応答可能時間帯を設定するための第２アナログ時計とがそれぞれ表示され、
前記第２設定画面には、午前の前記第２応答可能時間帯を設定するための第３アナログ時計と午後の前記第２応答可能時間帯を設定するための第４アナログ時計とがそれぞれ表示されることを特徴とする通信システム。
【請求項３】
通信システムであって、
通話機能と電子メール機能とチャット機能との少なくとも１つを第１通信機能として備える第１通信端末と、
前記通話機能と前記電子メール機能と前記チャット機能との少なくとも１つを第２通信機能として備える第２通信端末と、
前記第１通信端末及び前記第２通信端末の各々とネットワーク通信を行うことが可能なサーバと、
を備え、
前記第１通信端末は、
前記第１通信機能による応答が可能な第１応答可能時間を前記第１通信端末の第１ユーザに設定させるための第１設定画面を表示する第１表示部と、
前記第１設定画面を介して設定された前記第１応答可能時間を記憶する第１記憶部と、
前記サーバとネットワーク通信を行う第１通信部と、
現在時刻を出力する第１計時部と、
第１制御部と、
を有し、
前記第２通信端末は、
前記第２通信機能による応答が可能な第２応答可能時間を前記第２通信端末の第２ユーザに設定させるための第２設定画面を表示する第２表示部と、
前記第２設定画面を介して設定された前記第２応答可能時間を記憶する第２記憶部と、
前記サーバとネットワーク通信を行う第２通信部と、
現在時刻を出力する第２計時部と、
第２制御部と、
を有し、
前記第１通信端末の前記第１制御部は、前記第２通信機能の応答可否に関する第２応答可否情報の出力要求を前記第１通信部を介して前記サーバに送信し、
前記サーバは、前記出力要求に応答して、前記第２応答可否情報の出力指示を前記第２通信端末に送信し、
前記第２通信端末の前記第２制御部は、前記出力指示に応答して、前記第２計時部を介して現在時刻を取得すると共に、当該現在時刻を前記第２応答可能時間と照合して前記第２応答可否情報を生成し、前記第２通信部を介して前記第２応答可否情報を前記サーバに送信し、
前記サーバは、前記第２応答可否情報を前記第１通信端末に送信し、
前記第１通信端末の前記第１制御部は、前記第２応答可否情報に基づいて、前記第２通信機能の応答可否状況を前記第１表示部に表示し、
前記第１設定画面には第１登録ボタンが設けられており、
前記第１記憶部は、前記第１登録ボタンが押下されると、前記第１設定画面を介して設定された前記第１応答可能時間帯をお気に入りの第１時間帯として記憶し、
前記第２設定画面には第２登録ボタンが設けられており、
前記第２記憶部は、前記第２登録ボタンが押下されると、前記第２設定画面を介して設定された前記第２応答可能時間帯をお気に入りの第２時間帯として記憶することを特徴とする通信システム。
【請求項４】
前記第１通信端末は、前記第１応答可能時間帯以外の時間帯に前記第２通信端末から前記通話機能による着信があった場合には、前記第１通信端末が応答可能となる時刻を前記第２通信端末に送信することを特徴とする請求項１から３のうち何れかに記載の通信システム。
【発明の詳細な説明】
【技術分野】
【０００１】
本発明は、通信相手先の応答可否状況を正確に把握することが可能な通信システムに関する。
【背景技術】
【０００２】
従来、加入者の状態を予め記憶しておき、発信側加入者に加入者状態を通知する加入者状態通知装置が提案されている。かかる加入者状態通知装置は、加入者からの状態登録信号に応答して加入者状態を登録する。加入者は、予め定められた状態を示す番号のうち、状態を選択して手動で設定した状態登録信号を送信する（例えば、特許文献１）。
【先行技術文献】
【特許文献】
【０００３】
【特許文献１】特開２０００−２３６３９１号公報
【発明の概要】
【発明が解決しようとする課題】
【０００４】
しかし、上記特許文献１に記載の技術では、ユーザが状態設定を手動で行わなければならなかった。そのため、ユーザが状態設定の変更を怠った場合には、加入者の正確な状態を正確に把握できないという問題がある。
【０００５】
そこで本発明は、通信相手先の応答可否状況を正確に把握することが可能な通信システムを提供することを目的とする。
【課題を解決するための手段】
【０００６】
上記目的を達成するために、本発明は、通信システムであって、通話機能と電子メール機能とチャット機能との少なくとも１つを第１通信機能として備える第１通信端末と、前記通話機能と前記電子メール機能と前記チャット機能との少なくとも１つを第２通信機能として備える第２通信端末と、前記第１通信端末及び前記第２通信端末の各々とネットワーク通信を行うことが可能なサーバと、を備え、前記第１通信端末は、前記第１通信機能による応答が可能な第１応答可能時間を前記第１通信端末の第１ユーザに設定させるための第１設定画面を表示する第１表示部と、前記第１設定画面を介して設定された前記第１応答可能時間を記憶する第１記憶部と、前記サーバとネットワーク通信を行う第１通信部と、現在時刻を出力する第１計時部と、第１制御部と、を有し、前記第２通信端末は、前記第２通信機能による応答が可能な第２応答可能時間を前記第２通信端末の第２ユーザに設定させるための第２設定画面を表示する第２表示部と、前記第２設定画面を介して設定された前記第２応答可能時間を記憶する第２記憶部と、前記サーバとネットワーク通信を行う第２通信部と、現在時刻を出力する第２計時部と、第２制御部と、有し、前記第１通信端末の前記第１制御部は、前記第２通信機能の応答可否に関する第２応答可否情報の出力要求を前記第１通信部を介して前記サーバに送信し、前記サーバは、前記出力要求に応答して、前記第２応答可否情報の出力指示を前記第２通信端末に送信し、前記第２通信端末の前記第２制御部は、前記出力指示に応答して、前記第２計時部を介して現在時刻を取得すると共に、当該現在時刻を前記第２応答可能時間と照合して前記第２応答可否情報を生成し、前記第２通信部を介して前記第２応答可否情報を前記サーバに送信し、前記サーバは、前記第２応答可否情報を前記第１通信端末に送信し、前記第１通信端末の前記第１制御部は、前記第２応答可否情報に基づいて、前記第２通信機能の応答可否状況を前記第１表示部に表示し、前記第２通信端末の前記第２制御部は、前記出力指示に応答して、前記現在時刻から所定時間経過後までの応答可否を直近応答可否情報として生成し、前記第２応答可否情報と共に前記サーバに送信し、前記サーバは、前記第２応答可否情報及び直近応答可否情報を前記第１通信端末に送信し、前記第１通信端末の前記第１制御部は、前記応答可否状況を前記第１表示部に表示すると共に、前記現在時刻から前記所定時間経過後までの応答可否を表示することを特徴とする通信システムを提供している。
【０００８】
また、本発明は、通信システムであって、通話機能と電子メール機能とチャット機能との少なくとも１つを第１通信機能として備える第１通信端末と、前記通話機能と前記電子メール機能と前記チャット機能との少なくとも１つを第２通信機能として備える第２通信端末と、前記第１通信端末及び前記第２通信端末の各々とネットワーク通信を行うことが可能なサーバと、を備え、前記第１通信端末は、前記第１通信機能による応答が可能な第１応答可能時間を前記第１通信端末の第１ユーザに設定させるための第１設定画面を表示する第１表示部と、前記第１設定画面を介して設定された前記第１応答可能時間を記憶する第１記憶部と、前記サーバとネットワーク通信を行う第１通信部と、現在時刻を出力する第１計時部と、第１制御部と、を有し、前記第２通信端末は、前記第２通信機能による応答が可能な第２応答可能時間を前記第２通信端末の第２ユーザに設定させるための第２設定画面を表示する第２表示部と、前記第２設定画面を介して設定された前記第２応答可能時間を記憶する第２記憶部と、前記サーバとネットワーク通信を行う第２通信部と、現在時刻を出力する第２計時部と、第２制御部と、有し、前記第１通信端末の前記第１制御部は、前記第２通信機能の応答可否に関する第２応答可否情報の出力要求を前記第１通信部を介して前記サーバに送信し、前記サーバは、前記出力要求に応答して、前記第２応答可否情報の出力指示を前記第２通信端末に送信し、前記第２通信端末の前記第２制御部は、前記出力指示に応答して、前記第２計時部を介して現在時刻を取得すると共に、当該現在時刻を前記第２応答可能時間と照合して前記第２応答可否情報を生成し、前記第２通信部を介して前記第２応答可否情報を前記サーバに送信し、前記サーバは、前記第２応答可否情報を前記第１通信端末に送信し、前記第１通信端末の前記第１制御部は、前記第２応答可否情報に基づいて、前記第２通信機能の応答可否状況を前記第１表示部に表示し、前記第１設定画面には、午前の前記第１応答可能時間帯を設定するための第１アナログ時計と午後の前記第１応答可能時間帯を設定するための第２アナログ時計とがそれぞれ表示され、前記第２設定画面には、午前の前記第２応答可能時間帯を設定するための第３アナログ時計と午後の前記第２応答可能時間帯を設定するための第４アナログ時計とがそれぞれ表示されることを特徴とする通信システムを更に提供している。
【０００９】
また、本発明は、通信システムであって、通話機能と電子メール機能とチャット機能との少なくとも１つを第１通信機能として備える第１通信端末と、前記通話機能と前記電子メール機能と前記チャット機能との少なくとも１つを第２通信機能として備える第２通信端末と、前記第１通信端末及び前記第２通信端末の各々とネットワーク通信を行うことが可能なサーバと、を備え、前記第１通信端末は、前記第１通信機能による応答が可能な第１応答可能時間を前記第１通信端末の第１ユーザに設定させるための第１設定画面を表示する第１表示部と、前記第１設定画面を介して設定された前記第１応答可能時間を記憶する第１記憶部と、前記サーバとネットワーク通信を行う第１通信部と、現在時刻を出力する第１計時部と、第１制御部と、を有し、前記第２通信端末は、前記第２通信機能による応答が可能な第２応答可能時間を前記第２通信端末の第２ユーザに設定させるための第２設定画面を表示する第２表示部と、前記第２設定画面を介して設定された前記第２応答可能時間を記憶する第２記憶部と、前記サーバとネットワーク通信を行う第２通信部と、現在時刻を出力する第２計時部と、第２制御部と、有し、前記第１通信端末の前記第１制御部は、前記第２通信機能の応答可否に関する第２応答可否情報の出力要求を前記第１通信部を介して前記サーバに送信し、前記サーバは、前記出力要求に応答して、前記第２応答可否情報の出力指示を前記第２通信端末に送信し、前記第２通信端末の前記第２制御部は、前記出力指示に応答して、前記第２計時部を介して現在時刻を取得すると共に、当該現在時刻を前記第２応答可能時間と照合して前記第２応答可否情報を生成し、前記第２通信部を介して前記第２応答可否情報を前記サーバに送信し、前記サーバは、前記第２応答可否情報を前記第１通信端末に送信し、前記第１通信端末の前記第１制御部は、前記第２応答可否情報に基づいて、前記第２通信機能の応答可否状況を前記第１表示部に表示し、前記第１設定画面には第１登録ボタンが設けられており、前記第１記憶部は、前記第１登録ボタンが押下されると、前記第１設定画面を介して設定された前記第１応答可能時間帯をお気に入りの第１時間帯として記憶し、前記第２設定画面には第２登録ボタンが設けられており、前記第２記憶部は、前記第２登録ボタンが押下されると、前記第２設定画面を介して設定された前記第２応答可能時間帯をお気に入りの第２時間帯として記憶することを特徴とする通信システムを更に提供している。
【００１０】
また、前記第１通信端末は、前記第１応答可能時間帯以外の時間帯に前記第２通信端末から前記通話機能による着信があった場合には、前記第１通信端末が応答可能となる時刻を前記第２通信端末に送信するのが好ましい。
【発明の効果】
【００１３】
本発明によれば、通信相手先の応答可否状況を正確に把握することが可能である。
【図面の簡単な説明】
【００１４】
【図１】実施形態による通信システムの構成を示す図。
【図２】端末装置のハードウェア構成を示すブロック図。
【図３】応答可能時間帯を設定するための設定画面を示す図。
【図４】設定画面を介して設定される応答可能時間帯の一例を示す図。
【図５】通信システムの動作を示すシーケンス図。
【図６】応答可否状況を表示する画面を示す図。
【図７】変形例に係る応答可否状況を表示する画面を示す図。
【発明を実施するための形態】
【００１５】
＜１．構成＞
以下、図１乃至図６を参照しながら、本発明の通信システム、通信端末及びプログラムの実施形態を詳細に説明する。
【００１６】
図１に示すように、通信システム１は、複数の通信端末１０（１０Ａ，１０Ｂ，…）とサーバ３０とを備えて構成される。
【００１７】
各通信端末１０は、ネットワークＮＷを介してサーバ３０に接続されており、サーバ３０との間でネットワーク通信を行うことが可能である。ネットワーク２は、ＬＡＮ（Local Area Network（ローカル・エリア・ネットワーク））、ＷＡＮ（Wide Area Network（ワイドエリアネットワーク）、インターネット、公衆回線等の通信ネットワークで構成されている。
【００１８】
各通信端末１０は、何れも、Ｗｉ−Ｆｉ（登録商標）によりネットワークＮＷに無線接続されている。一方、サーバ３０は、ＬＡＮケーブルを介してネットワークＮＷに有線接続されている。ただし、ネットワークＮＷへの接続形態は、これらに限定されるものではなく、例えば、各通信端末１０が有線接続され、サーバ３０が無線接続されるように構成してもよい。
【００１９】
各通信端末１０は、公知のスマートフォンと同様の構成を備えている。各通信端末１０は、通話機能、電子メール機能及びチャット機能等を通信機能として備えている。
【００２０】
通話機能は、特定の電話機と公衆回線を通じて通話を行うための機能である。電子メール機能は、ネットワークＮＷを通じて文書や画像等の情報を交換するための機能である。チャット機能は、ネットワークＮＷを通じてリアルタイムにコミュニケーションを行うための機能である。このチャット機能はＳＮＳサービス等に付随している。
【００２１】
例えば、通信端末１０Ａは、通信端末１０Ｂに対して、電話をかけたり、電子メールを送受信したり、チャットによるメッセージを送ったりすることが可能である。また、通信端末１０Ｂは、通信端末１０Ａに対して、電話をかけたり、電子メールを送受信したり、チャットによるメッセージを送ったりすることが可能である。
【００２２】
このように、各通信端末１０は、互いの通信機能を利用して各種の通信を行うことが可能である。
【００２３】
詳細には、図２に示すように、通信端末１０は、ＣＰＵ１１、ＲＡＭ１２、ＲＯＭ１３、通信部１４、記憶部１５、操作表示部１６、計時部１７等を備え、これらがバス１８により相互に接続されている。
【００２４】
ＣＰＵ１１は中央演算装置であり、ＲＡＭ１２、ＲＯＭ１３などと協働して、後述する各種の処理を実行する。詳細には、ＣＰＵ１１は、予めインストールされている１又は複数のプログラムを実行することにより、各種の処理を実行する。これによって、ＣＰＵ１１は、各通信端末１０の動作を統括的に制御する制御部として機能する。
【００２５】
特に、各通信端末１０には、通信相手の応答可否状況を事前に把握するための応答可否判断プログラムがインストールされている。応答可否判断プログラムは、サーバ３０と連携して動作するサーバ連携型のプログラムである。この応答可否判断プログラムの具体的動作については後に詳述する。
【００２６】
ＲＡＭ１２は、ＣＰＵ１１の演算の際にデータを一時的に記憶するものであり、ＲＯＭ１３は、ＢＩＯＳなどのプログラムが記憶された読み出し専用メモリである。
【００２７】
通信部１４は、インターネットを介してサーバ３０とネットワーク通信を行う処理部である。
【００２８】
記憶部１５は、公知のフラッシュメモリ（不揮発性メモリ）で構成されており、各種のデータを記憶する。
【００２９】
操作表示部１６は、公知のタッチパネル式ディスプレイとして構成され、ユーザによる操作入力を受け付けると共に、各種の操作画面を表示する処理部である。
【００３０】
計時部１７は、出力指示に応答して現在時刻を出力する処理部である。
【００３１】
サーバ３０は、公知のパーソナルコンピュータと同様の構成を備えており、上述の応答可否判断プログラムの実行時において各通信端末１０との間のネットワーク通信を制御する。
【００３２】
＜２．動作＞
次に、図３〜図６を参照しながら、応答可否判断プログラム実行時における通信システム１の動作について詳細に説明する。
【００３３】
応答可否判断プログラムは、各通信端末１０において、以下に説明するような初期設定（詳細には、各通信機能の応答可能時間帯の設定）が完了している場合に実行可能となる。
【００３４】
具体的には、通話機能、電子メール機能及びチャット機能の各応答可能時間帯を図３に示す設定画面ＧＡ１を介して設定する。
【００３５】
図３に示すように、設定画面ＧＡ１には、通話機能に関して、午前（ＡＭ）の応答可能時間帯を設定するためのアナログ時計ＡＮ１１と午後（ＰＭ）の応答可能時間帯を設定するためのアナログ時計ＡＮ１２とがそれぞれ表示される。
【００３６】
また、設定画面ＧＡ１には、電子メール機能に関して、午前（ＡＭ）の応答可能時間帯を設定するためのアナログ時計ＡＮ２１と午後（ＰＭ）の応答可能時間帯を設定するためのアナログ時計ＡＮ２２とがそれぞれ表示される。
【００３７】
さらに、設定画面ＧＡ１には、チャット機能に関して、午前（ＡＭ）の応答可能時間帯を設定するためのアナログ時計ＡＮ３１と午後（ＰＭ）の応答可能時間帯を設定するためのアナログ時計ＡＮ３２とがそれぞれ表示される。
【００３８】
図３に示すように、初期状態では、何れのアナログ時計も文字盤のみが表示され、針が表示されない。
【００３９】
図３に示す設定画面ＧＡ１において、ユーザが時間帯を設定するための所定の動作を行うと、図４に示すように、各アナログ時計の文字盤には時間帯を区切る境界線が表示される。ここで、所定の動作としては、ユーザが文字盤の中心から外周に向けて線を引くスライド操作等が挙げられる。
【００４０】
文字盤に境界線が表示された後、特定の領域をタップ操作することによって、かかる特定領域に対応する時間帯の応答可否が選択される。なお、ここでは、タップ操作を行う毎に応答可否が順次に切り替わるものとする。
【００４１】
図４では、通話機能に関して、アナログ時計ＡＮ１１では、午前０時から午前７時までの期間は応答不可（ＮＧ）に設定され、午前７時から午前１２時までの期間は応答可能（ＯＫ）に設定されている。また、アナログ時計ＡＮ１２では、午後０時から午後９時までの期間は応答可能（ＯＫ）に設定され、午後９時から午後１２時までの期間は応答不可（ＮＧ）に設定されている。
【００４２】
また、電子メール機能に関して、アナログ時計ＡＮ２１では、午前０時から午前７時までの期間は応答不可（ＮＧ）に設定され、午前７時から午前１２時までの期間は応答可能（ＯＫ）に設定されている。また、アナログ時計ＡＮ２２では、午後０時から午後１１時までの期間は応答可能に設定され、午後１１時から午後１２時までの期間は応答不可に設定されている。
【００４３】
さらに、チャット機能に関して、アナログ時計ＡＮ３１では、午前０時から午前７時までの期間は応答不可に設定され、午前７時から午前１２時までの期間は応答可能に設定されている。また、アナログ時計ＡＮ３２では、午後０時から午後１１時までの期間は応答可能に設定され、午後１１時から午後１２時までの期間は応答不可に設定されている。
【００４４】
図４に示す決定ボタンが押下されると、通話機能に関する応答可能時間帯は午前７時から午後９時までの期間に設定され、記憶部１５に記憶される。また、電子メール機能に関する応答可能時間帯は午前７時から午後１１時までに設定され、記憶部１５に記憶される。さらに、チャット機能に関する応答可能時間帯は午前７時から午後１１時までに設定され、記憶部１５に記憶される。
【００４５】
また、図４に示すお気に入り登録ボタンが押下されると、図４の設定画面を介して設定された各時間帯がお気に入り時間帯として記憶部１５に登録される。これにより、ユーザが次回以降設定画面ＧＡ１における各時間帯の設定を省略することが可能になる。
【００４６】
次に、図５を参照しながら、通信システム１の動作について説明する。以下では、一例として、通信端末１０Ａが、通信端末１０Ｂの通信機能の応答可否状況を問い合わせる状況を想定して説明する。
【００４７】
まず、通信端末１０Ａは、通信端末１０Ｂの通信機能の応答可否に関する応答可否情報の出力要求をサーバ３０に送信する（ステップＳ１）。
【００４８】
サーバ３０は、応答可否情報の出力要求を受信すると、当該応答可否情報の出力指示を通信端末１０Ｂに送信する（ステップＳ２）。
【００４９】
通信端末１０Ｂは、応答可否情報の生成処理を実行する（ステップＳ３）。まず、通信端末１０Ｂは、計時部１７を介して現在時刻を取得する。そして、通信端末１０Ｂは、当該現在時刻を記憶部１５内の応答可能時間帯と照合して応答可否情報を生成する。
【００５０】
具体的には、現在時刻が応答可能時間帯にある場合は応答可能を示す応答可否情報が生成され、現在時刻が応答可能時間帯から外れている場合は応答不能を示す応答可否情報が生成される。
【００５１】
ここでは、通話機能の応答可能時間帯と電子メール機能の応答可能時間帯とチャット機能の応答可能時間帯との各々に関し、応答可否が判定されて応答可否情報が生成される。すなわち、応答可否情報は、通話機能の応答可否と、電子メール機能の応答可否と、チャット機能の応答可否との３つの情報を含んでいる。
【００５２】
この後、通信端末１０Ｂは、ステップＳ３において生成された応答可否情報をサーバ３０に送信する（ステップＳ４）。そして、サーバ３０は、当該応答可否情報を要求元の通信端末１０Ａに送信する。
【００５３】
通信端末１０Ａは、応答可否情報に基づいて、各通信機能の応答可否状況を操作表示部１６に表示する。例えば、応答可否情報が、通話機能に関して応答不可、電子メール機能に関して応答可能、チャット機能に関して応答可能を示す情報を含む場合、図６に示すような画面ＧＡ２が表示される。
【００５４】
また、各通信端末１０は、応答可能時間帯以外の時間帯に他の通信端末から通話機能を介して着信があった場合、各通信端末１０が応答可能となる時刻を他の通信端末に送信するものとする。
【００５５】
例えば、或る通信端末１０において午前０時から午前７時までの時間帯が応答不可に設定されている場合に、他の通信端末１０から午前３時に着信があった場合には、或る通信端末１０は、次に応答可能となる時刻である午前７時を他の通信端末１０に送信する。
【００５６】
＜３．効果＞
上記実施形態によれば、図４に示す初期設定画面を介して各通信機能の応答可能時間帯が事前に設定されるため、各通信機能の応答可否をその都度切り替える必要がない。そのため、ユーザは通信相手先の応答可否状況を正確に把握することが可能である。
【００５７】
また、上記実施形態によれば、午前及び午後のアナログ時計を介して応答可能時間帯を直感的に設定することが可能である。
【００５８】
＜４．変形例＞
本発明による通信システムは上述の実施形態に限定されず、特許請求の範囲に記載した範囲で種々の変形や改良が可能である。
【００５９】
上記実施形態では、アナログ時計を介して応答可能時間帯が設定される場合を例示したが、これに限定されず、数値入力等の他の方法を用いて設定するようにしてもよい。
【００６０】
また、上記実施形態では、通信端末１０Ａが通信端末１０Ｂに対して応答可否情報の出力要求を行う場合を例示したが、これに限定されず、逆に通信端末１０Ｂが通信端末１０Ａに対して応答可否情報の出力要求を行うことも可能である。
【００６１】
また、上記実施形態では、通信機能として通話機能、電子メール機能及びチャット機能の３つを例示したが、これに限定されず、ＳＭＳ（Short Message Service）機能等の他の機能にも本発明の思想を適用することが可能である。
【００６２】
また、上記実施形態では、図６に示すように、通信端末１０Ｂの現在時刻における応答可否状況が通信端末１０Ａの操作表示部１６に表示される場合を例示したが、これに限定されない。例えば、図７に示すように、現在時刻における応答可否状況に加え、現在時刻から所定時間経過後（例えば３時間後）までの応答可否を直近応答可否状況としてアナログ時計画像によって通信端末１０Ａの操作表示部１６に表示させるようにしてもよい。なお、図７では、現在時刻が午後３時であり、午後３時から３時間後の午後６時までの直近応答可否状況が表示されている場合を例示している。
【００６３】
この場合、通信端末１０Ｂは、図５、ステップＳ３の応答可否情報生成処理において、現在時刻における応答可否情報のみならず、所定時間経過後までの応答可否を直近応答可否情報として生成するようにすればよい。そして、通信端末１０Ｂは応答可否情報及び直近応答可否情報をサーバ３０に送信し（ステップＳ４）、サーバ３０は応答可否情報及び直近応答可否情報を通信端末１０Ａに送信すればよい（ステップＳ５）。そして、図７に示すように、通信端末１０Ａは、現在時刻における応答可否を表示すると共に、３時間経過後までの応答可否状況をアナログ時計画像に表示するようにすればよい（ステップＳ６）。
【産業上の利用可能性】
【００６４】
以上のように本発明にかかる通信システムはスマートフォン等の端末同士で通信を行うのに適している。
【符号の説明】
【００６５】
１  通信システム、２  ネットワーク、１０  通信端末、１４  通信部、１５  記憶部、
１７  計時部、１８  バス、３０  サーバ、
ＡＮ１１，ＡＮ１２，ＡＮ２１，ＡＮ２２，ＡＮ３１，ＡＮ３２  アナログ時計、
ＧＡ１  設定画面、ＮＷ  ネットワーク
【要約】
【課題】通信相手先の応答可否状況を正確に把握することが可能な通信システムの提供。
【解決手段】通信システム１は、複数の通信端末１０（１０Ａ，１０Ｂ，…）とサーバ３０とを備える。各通信端末１０は、通話機能と電子メール機能とチャット機能との少なくとも１つを通信機能として備える。各通信端末１０は、表示部と記憶部と通信部と計時部と制御部とを有する。通信端末１０Ａは、通信端末１０Ｂとの間で通信を行うことが可能である。制御部は、通信端末１０Ｂの通信機能の応答可否に関する応答可否に関する第１応答可否情報の出力要求を通信端末１０Ｂに送信することにより、第１応答可否情報を出力させる。制御部は、第１応答可否情報に基づいて、通信端末１０Ｂの通信機能の応答可否状況を表示する。
【選択図】図１【図１】
0005996135.tif 000002
【図２】
0005996135.tif 000003
【図３】
0005996135.tif 000004
【図４】
0005996135.tif 000005
【図５】
0005996135.tif 000006
【図６】
0005996135.tif 000007
【図７】
0005996135.tif 000008